(57)【要約】【課題】異なる量の米を容易に計量できる計量カップを提供する。【解決手段】本発明に係る計量カップは、有底筒形状の計量部を備える。計量部は、有底筒部と、一方の端部が計量部の開口部となり他方の端部が前記有底筒部と連結される筒部と、有底筒部の開放されている側の有底筒部開口部と筒部とを連結する連結部と、を備える。有底筒部開口部は、開口部側から見た時に筒部の内側に位置する。連結部は、筒部の内周面と有底筒部の内周面との間の段差面を形成する。【選択図】図１
2017167020.tif 000002
【特許請求の範囲】
【請求項１】
有底筒形状の計量部を備え、
前記計量部は、
有底筒部と、
一方の端部が前記計量部の開口部となり他方の端部が前記有底筒部と連結される筒部と、
前記有底筒部の開放されている側の有底筒部開口部と前記筒部とを連結する連結部と、を備え、
前記有底筒部開口部は、
前記開口部側から見た時に前記筒部の内側に位置し、
前記連結部は、
前記筒部の内周面と前記有底筒部の内周面との間の段差面を形成する、計量カップ。
【請求項２】
前記計量部の前記段差面と前記有底筒部の底部とは、
平行に並んで配置されている、請求項１に記載の計量カップ。
【請求項３】
隣接して配置された２つの前記計量部を有し、
２つの前記計量部の開口部は、
互いに逆方向に開口され、
一方の前記計量部の前記連結部は、
他方の前記計量部の前記有底筒部の底部を形成する、請求項１又は２に記載の計量カップ。
【請求項４】
一方の前記計量部の前記段差面と他方の前記計量部の前記開口部の端面とは、
平行に並んで配置されている、請求項３に記載の計量カップ。
【請求項５】
２つの前記計量部は、
それぞれ容積が異なる、請求項３又は４に記載の計量カップ。
【請求項６】
２つの前記計量部は、
一方が他方の半分の容積を有する、請求項５に記載の計量カップ。
【発明の詳細な説明】
【技術分野】
【０００１】
本発明は、炊飯器で炊飯する米等の炊飯原料の量を計量する計量カップの構造に関するものである。
【背景技術】
【０００２】
従来より、炊飯器で炊飯する米を計量する計量カップがある。この計量カップは、計量カップを米びつの中に入れて米をすくい上げ、計量カップの上端部から突出した分の米を、計量カップをゆすることなく、上端部に合せてほぼ平ら（水平）に均すように摺り切ると１合（１８０ｍｌ）となり、炊飯したい米の量を計量するために使用されている。炊飯時において、米の量と水の量との比率が変わると、炊きあがり時の米のできばえが大きく変わってくる。よって、炊飯時の米の量は正確に計量する必要がある。特許文献１においては、計量カップの上端部で米を摺り切ることで１合の米を計量する。
【０００３】
最近では、０．５合単位（例えば、０．５合、１．５合、２．５合・・・）で米の量を調整して炊飯するユーザーが増えてきている。前述の計量カップを用いて、米の量を０．５合単位で調節したい場合には、目分量で米の量を計ったり、また、０．５合の目盛りが印刷あるいは刻印された計量カップを用いて米の量を計っている。
【先行技術文献】
【特許文献】
【０００４】
【特許文献１】特開２０１１−１０６８６５号公報
【発明の概要】
【発明が解決しようとする課題】
【０００５】
前記のような計量カップでは、米等の炊飯原料を計量する場合、計量カップの上端部に合わせて摺り切ることができないため、目分量で、あるいは計量カップに設けられた目盛りに合わせるしかなかった。そのため、目盛り線と米等の炊飯原料とを正確に合わせるために、計量カップの横方向から視認する必要がある。または、計量カップを上から見る場合は、ユーザーは計量カップを回すなどして、目盛り線と米等の炊飯原料とがカップの全周にわたって合っているか、確認する必要があった。
【０００６】
本発明は、前述のような課題を解決するためになされたもので、計量カップの摺り切りでない計量をする場合であっても、米等の炊飯原料を容易に計量できる計量カップを提供することを目的とする。
【課題を解決するための手段】
【０００７】
本発明に係る炊飯器の計量カップは、有底筒形状の計量部を備え、前記計量部は、有底筒部と、一方の端部が前記計量部の開口部となり他方の端部が前記有底筒部と連結される筒部と、前記有底筒部の開放されている側の有底筒部開口部と前記筒部とを連結する連結部と、を備え、前記有底筒部開口部は、前記開口部側から見た時に前記筒部の内側に位置し、前記連結部は、前記筒部の内周面と前記有底筒部の内周面との間の段差面を形成する。
【発明の効果】
【０００８】
本発明によれば、米等の炊飯原料の計量をする際に計量部に段差面を有することにより、段差面を目印とした計量をすることができ、１つの計量部で２種類の異なる量の米等の炊飯原料を容易に計量することができる。
【図面の簡単な説明】
【０００９】
【図１】本発明の実施の形態１に係る計量カップ１００を示す斜視図である。
【図２】図１に示す計量カップのＡ−Ａ断面図である。
【図３】図２の計量カップで０．５合の米を計量するときの模式図である。
【図４】本発明の実施の形態２に係る計量カップの斜視図である。
【図５】図４の計量カップのＢ−Ｂ断面図である。
【発明を実施するための形態】
【００１０】
以下、図面に基づいて本発明の実施の形態について説明する。各図において、同一の符号を付した部位等については、同一の又はこれに相当する部位を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の部位等について、特に区別したり、特定したりする必要がない場合には、添字を省略して記載する場合がある。また、図面では各構成部材の大きさの関係が実際のものとは異なる場合がある。
【００１１】
実施の形態１．
図１は、本発明の実施の形態１に係る計量カップ１００を示す斜視図である。図２は、図１に示す計量カップ１００のＡ−Ａ断面図である。
実施の形態１における計量カップ１００は、図１、図２に示されるように、計量部１０を備える。計量部１０は、筒部１１と有底筒部１２との２つの部分により構成される。筒部１１は、一方の端部が計量部１０の開口部１５となり、他方の端部が有底筒部１２の開放されている側の端部である有底筒部開口部１３に連結されている。また、有底筒部１２の有底筒部開口部１３は、筒部１１よりも径が小さい。なお、実施の形態１の計量カップ１００の筒部１１、有底筒部１２は、開口側からみると円形状であるが、これに限定されず、矩形その他の形状でもよい。有底筒部開口部１３は、計量カップ１００の開口部１５側から見ると、筒部１１の内側に位置する。
【００１２】
筒部１１と有底筒部１２との連結部１６は、有底筒部１２の有底筒部開口部１３の縁から有底筒部１２よりも径の大きい筒部１１までを連続的に繋いでいる。また、連結部１６は、計量部１０の開口部１５側に向いている段差面１７を有する。段差面１７は、有底筒部１２の底部１４と計量部１０の開口部１５との間にあり、計量部１０を形成する筒部１１の内周面と有底筒部１２の内周面との間の段差面を形成している。段差面１７は、底部１４に平行になっていても良い。この場合、計量カップ１００の底部１４を下にして計量カップ１００を平面上に載置した時に、段差面１７は、略水平になっている。
【００１３】
上記のように構成された計量カップ１００で、米を計量する場合、底部１４から計量部１０の開口部１５までの間に米を満たし、開口部１５の摺り切りで米を摺り切ると、例えば１合の米を計量できる。
【００１４】
図３は、図２の計量カップ１００で０．５合の米を計量するときの模式図である。図３においては、底部１４から段差面１７の位置まで計量カップ１００に米が入っており、その表面部付近の米粒２１のみを表示し、底部１４側の米粒２１については記載を省略している。
【００１５】
計量カップ１００の底部１４から連結部１６の段差面１７までの間に米を満たすと、０．５合の米が計量できる。この時、計量部１０内に溜まった米の表面２０を、段差面１７に合わせるようにして米の量を調整する。計量部１０内に０．５合以上の米が溜まっている場合は、米の表面２０は、段差面１７より上にある。米が段差面１７より上にあると、米粒が段差面１７の上に載ることになり、計量カップ１００の上部から見ても横から見ても米が多いことが容易に判断できる。なお、実施の形態１において段差面１７は、略水平に形成されているが、計量時に米が多い場合に米粒が段差面１７に載っているか確認できる程度であれば、傾斜していても良い。
【００１６】
実施の形態２．
実施の形態１においては、計量部１０が１つであったが、実施の形態２は、２つの計量部１０ａ、１０ｂを備える場合の計量カップ２００について説明する。実施の形態２に係る計量カップ２００の各部については、各図面において同一の機能を有するものは実施の形態１の説明で使用した図面と同一の符号を付して表示するものとする。
【００１７】
図４は、本発明の実施の形態２に係る計量カップ２００の斜視図である。図５は、図４の計量カップ２００のＢ−Ｂ断面図である。
実施の形態２における計量カップ２００は、２つの計量部１０ａ、１０ｂの開口部１５ａ、１５ｂが互いに逆方向に開口されている。計量部１０ａは、筒部１１ａと有底筒部１２ａとから形成されている。また、計量部１０ａに対し逆方向に開口部１５ｂが開口されている。計量部１０ｂも、筒部１１ｂと有底筒部１２ｂとから形成されている。そして、開口部１５ａ、１５ｂと底部１４ａ、１４ｂとは、一方向に並んで配置されている。さらに底部１４ａ、１４ｂは、開口部１５ａと開口部１５ｂとの間に位置している。
【００１８】
実施の形態２に係る計量部１０ａ、１０ｂは、実施の形態１と同様に、筒部１１ａの一方の端部が計量部１０ａの開口部１５ａとなり、他方の端部が有底筒部１２ａの開放されている側の端部である有底筒部開口部１３ａに連結されている。また、有底筒部１２ａの有底筒部開口部１３ａは、筒部１１ａよりも径が小さい。計量部１０ｂは、筒部１１ｂの一方の端部が計量部１０ｂの開口部１５ｂとなり、他方の端部が有底筒部１２ｂの開放されている側の端部である有底筒部開口部１３ｂに連結されている。また、有底筒部１２ｂの有底筒部開口部１３ｂは、筒部１１ｂよりも径が小さい。実施の形態２の計量カップ２００の筒部１１、有底筒部１２は、開口側からみると矩形であるが、これに限定されず、円形その他の形状でもよい。有底筒部開口部１３ａ、１３ｂは、計量カップ２００のそれぞれの開口部１５ａ、１５ｂ側から見ると、筒部１１ａ、１１ｂの内側に位置する。
【００１９】
計量部１０ａと計量部１０ｂとは、隣接して配置されている。有底筒部１２ａと有底筒部１２ｂは、図５において水平方向に並べられており、仕切壁部４２により隔てられている。
【００２０】
計量部１０ａの筒部１１ａは、図５において、計量部１０ａの有底筒部１２ａ及び計量部１０ｂの有底筒部１２ｂの上方に位置している。筒部１１ａは、有底筒部１２ａと連結され、かつ計量部１０ｂの有底筒部１２ｂと底部１４ｂにより隔てられている。
【００２１】
また、計量部１０ｂの筒部１１ｂは、図５において、計量部１０ｂの有底筒部１２ｂ及び計量部１０ａの有底筒部１２ａの下方に位置している。筒部１１ｂは、有底筒部１２ｂと連結され、かつ計量部１０ａの有底筒部１２ａと底部１４ａにより隔てられている。
【００２２】
底部１４ｂは、筒部１１ａと有底筒部１２ｂとを隔てているが、同時に筒部１１ａと有底筒部１２ａとをつなげる連結部１６ａになっている。連結部１６ａは、計量部１０ａの開口部１５ａ側に向いている段差面１７ａを有する。
【００２３】
また、底部１４ａは、筒部１１ｂと有底筒部１２ａとを隔てているが、同時に筒部１１ｂと有底筒部１２ｂとをつなげる連結部１６ｂになっている。連結部１６ｂは、計量部１０ｂの開口部１５ｂ側に向いている段差面１７ｂを有する。
【００２４】
計量部１０ａの底部１４ａは、一方の計量部１０ａの開口部１５ａ側を向いている面が有底筒部１２ａの底面１８ａであり、他方の計量部１０ｂの開口部１５ｂ側を向いている面が計量部１０ｂの段差面１７ｂである。
【００２５】
また、計量部１０ｂの底部１４ｂは、他方の計量部１０ｂの開口部１５ｂ側を向いている面が有底筒部１２ｂの底面１８ｂであり、一方の計量部１０ａの開口部１５ａ側を向いている面が計量部１０ａの段差面１７ａである。
【００２６】
実施の形態２に係る一方の計量部１０の段差面１７は、他方の計量部１０の開口部１５の端面と平行に形成されており、計量カップ２００を平面上に載置したときに、略水平になるように構成されている。
【００２７】
計量部１０ａと計量部１０ｂとは、異なる容積になっている。例えば、計量部１０ａは、１合の米を計量できる容積になっており、１８０ｍｌに設定されている、また、例えば計量部１０ｂは、０．５合の米を計量できる容積になっており、９０ｍｌに設定されている。よって、各計量部１０に米をすくい、開口部１５で米を摺り切ると、１合または０．５合の米が正確に計量することができる。
【００２８】
また、実施の形態１と同様に、各計量部１０において、底部１４から連結部１６の段差面１７までの間に米を満たして計量すると、上記の摺り切りによる計量とは異なる量の米を計量することができる。例えば、無洗米を炊飯する場合、通常の米と同じ水の量で炊飯すると、無洗米は水の量が足らなくなる。よって、通常の米と同じ水の量で炊飯する場合、計量カップ２００の摺り切りにより計量する米の量から減らして計量する必要がある。  
【００２９】
実施の形態２においては、計量カップ２００は、有底筒部１２ａの容積が例えば１７０ｍｌに設定されている。よって、無洗米を計量する場合には、段差面１７ａを目印にして米を計量する。これにより、通常の米の１合に必要とする水の量に対し適正な無洗米の量を計量できる。また、計量カップ２００は、有底筒部１２ｂの容積が例えば８５ｍｌに設定されている。よって、無洗米を計量する場合には、段差面１７ｂを目印にして米を計量する。これにより、通常の米の１合に必要とする水の量に対し適正な無洗米の量を計量できる。具体的には、各計量部１０に米をすくい取り、連結部１６の段差面１７上に米が載っているかどうかで、目的の量より米の量が多いかどうかを判定し、計量を行う。このように計量することにより、計量カップ１００の上部から見ても横から見ても米が多いことが容易に判断できる。
【００３０】
計量カップ２００は、上記の構造を備えることにより、２つの計量部１０ａ、１０ｂの摺り切りによる計量で２種類の異なる米の量を計量できるだけでなく、段差面１７ａ、１７ｂに米が載らないようにして米の量を計量することで、さらに２種類の異なる米の量を計量することができる。実施の形態２における計量カップ２００では、通常の米の１合、０．５合、無洗米の１合、０．５合の４種類の異なる米の量を１つの計量カップ２００で計量することができる。よって、ユーザーは、計量する米の量や米の種類に応じて異なる計量カップを用意する必要がなくなるという利点がある。
【００３１】
（実施の形態の効果）
（１）実施の形態１、２に係る計量カップ１００、２００によれば、有底筒形状の計量部１０を備える。計量部１０は、有底筒部１２と、一方の端部が計量部１０の開口部１５となり他方の端部が有底筒部１２と連結される筒部１１と、有底筒部１２の開放されている側の有底筒部開口部１３と筒部１１とを連結する連結部１６と、を備える。有底筒部開口部１３は、開口部１５側から見た時に筒部１１の内側に位置する。連結部１６は、筒部１１の内周面と有底筒部１２の内周面との間の段差面１７を形成する。
このように構成されることにより、計量カップ１００、２００は、開口部１５の端面で米を摺り切りして計量する場合と、段差面１７に合わせて計量する場合の２通りの計量ができる。このため、１つの計量カップ１００、２００で異なる米の量を正確にかつ簡単に計量することができる。
【００３２】
（２）実施の形態１、２に係る計量カップ１００、２００によれば、計量部１０ａ、１０ｂの段差面１７ａ、１７ｂと底部１４ａ、１４ｂとは、平行に並んで配置されている。
このように構成されることにより、計量カップ１００、２００は、計量部１０の段差面１７に合わせて米を計量する際に、米粒２１が段差面１７に載っている状態が確認しやすく、米の計量の精度を向上させることができる。
【００３３】
（３）実施の形態２に係る計量カップ２００によれば、隣接して配置された２つの前記計量部１０ａ、１０ｂを有する。２つの計量部１０ａ、１０ｂの開口部１５ａ、１５ｂは、互いに逆方向に開口される。一方の計量部１０の連結部１６は、他方の計量部１０の有底筒部１２の底部１４を形成する。
このように構成されることにより、計量カップ２００は、異なる計量部１０ａ、１０ｂを一体に備え、異なる量の米の正確かつ簡単な計量を実現しつつ、さらに、各計量部１０ａ、１０ｂの段差面１７ａ、１７ｂに合わせて米を計量することができる。
【００３４】
（４）実施の形態２に係る計量カップ２００によれば、一方の計量部１０の段差面１７と他方の計量部１０の開口部１５の端面とは、平行に並んで配置されている。
このように構成されることにより、計量カップ２００は、計量部１０の段差面１７に合わせて米を計量する際に、米粒２１が段差面１７に載っている状態が確認しやすく、米の計量の精度を向上させることができる。
【００３５】
（５）実施の形態２に係る計量カップ２００によれば、２つの計量部１０ａ、１０ｂは、それぞれ容積が異なる。
（６）実施の形態２に係る計量カップ２００によれば、２つの計量部１０ａ、１０ｂは、一方が他方の半分の容積を有する。
このように構成されることにより、計量カップ２００は、異なる計量部１０ａ、１０ｂを一体に備え、異なる量の米の正確かつ簡単な計量を実現しつつ、さらに、各計量部１０ａ、１０ｂの段差面１７ａ、１７ｂに合わせて米を計量することができる。特に、炊飯においては１合単位で計量していたが、ユーザーによっては０．５合単位で計量して炊飯する場合も多いため、そのような場合に使い勝手が良い計量カップ１００、２００を提供することができる。
【００３６】
なお、実施の形態１、２においては、計量カップ１００、２００が計量する対象は、米として説明したが、米だけでなく麦等の炊飯する穀類の計量に利用できる。
【符号の説明】
【００３７】
１０  計量部、１０ａ  計量部、１０ｂ  計量部、１１  筒部、１１ａ  筒部、１１ｂ  筒部、１２  有底筒部、１２ａ  有底筒部、１２ｂ  有底筒部、１３  有底筒部開口部、１３ａ  有底筒部開口部、１３ｂ  有底筒部開口部、１４  底部、１４ａ  底部、１４ｂ  底部、１５  開口部、１５ａ  開口部、１５ｂ  開口部、１６  連結部、１６ａ  連結部、１６ｂ  連結部、１７  段差面、１７ａ  段差面、１７ｂ  段差面、１８ａ  底面、１８ｂ  底面、２０  表面、２１  米粒、４２  仕切壁部、１００  計量カップ、２００  計量カップ。
【図１】
2017167020.tif 000003
【図２】
2017167020.tif 000004
【図３】
2017167020.tif 000005
【図４】
2017167020.tif 000006
【図５】
2017167020.tif 000007